(57)【要約】【課題】袋集合体または袋素材集合体から、袋を破損することなく取り去りまたは剥がしやすくし、容器内から袋を引き出しやすく、運搬も容易にすることにある。【解決手段】上端に開口部(11)を有する柔軟なプラスチック製の袋(10)を扁平状に折り畳み、開口部が同じ方向になるように揃えて複数枚重層した状態で結合要素で結合して袋集合体(1)が形成されており、当該袋集合体を取付要素(17)により保持具に取付け、袋集合体(1)から前記袋(10)を一枚または複数枚ずつ分離して使用する袋集合体である。袋集合体を構成する袋は、袋集合体から分離するための分離要素(15)を有しており、分離要素(15)から袋(10)を分離したとき、袋集合体側には、袋の一部が分離部(16)として残り、当該分離部側には、前記結合要素と前記保持具への取付要素が備わる。【選択図】  図１
2013086860.tif 000002
【特許請求の範囲】
【請求項１】
上端に開口部を有する柔軟なプラスチック製の袋を扁平状に折り畳み、前記開口部が同じ方向になるように揃えて複数枚重層した状態で結合要素で結合して袋集合体が形成されており、当該袋集合体を取付要素により保持具に取付け、前記袋集合体から前記袋を一枚または複数枚ずつ分離して使用する袋集合体であって、
当該袋集合体を構成する前記袋は、袋集合体から分離するための分離要素を有しており、当該分離要素から袋を分離したとき、前記袋集合体側には、袋の一部が分離部として残り、当該分離部側には、前記結合要素と前記保持具への取付要素が備わることを特徴とする、
袋集合体。
【請求項２】
前記袋集合体から分離された袋には、前記分離部が除かれた痕跡による取手穴または切欠部が形成されることを特徴とする、
請求項１記載の袋集合体。
【請求項３】
前記袋集合体は、外層側の袋から順に分離して使用されるものであり、
前記結合要素は、前記開口部より下方に設けられており、
前記分離要素は、前記結合要素を囲んで設けられており、
前記取付要素は、前記袋集合体の取付側に設けられており、
前記袋集合体から分離された袋は、前記分離部が除かれた痕跡による取手穴を有することを特徴とする、
請求項１記載の袋集合体。
【請求項４】
前記袋集合体は、外層側の袋から順に分離して使用されるものであり、
前記結合要素は、前記開口部より下方に設けられており、
前記分離要素は、前記開口部縁の一部と共に前記結合要素を囲んで設けられており、
前記取付要素は、前記袋集合体の取付側に設けられており、
前記袋集合体には、袋集合体を貫通して取手穴が設けられており、
前記袋集合体から分離された袋は、前記分離部が除かれた痕跡による切欠部と、前記取手穴を有することを特徴とする、
請求項１記載の袋集合体。
【請求項５】
前記袋集合体は、外層側の袋から順に分離して使用されるものであり、
前記袋は、
チューブ状に形成された単一のシートの両側に、内側へ折り込まれている折り込み部を対向して形成して扁平化し、前記シートの上端部と下端部に熱溶着により封じられた封じ部を有し、                                                                     
前記シートの中央部分に、前記折り込み部端を含んで前記シートの上端部側から下端部側に向けて抜き部が形成されることにより、
上端が開口し両側部に折り込み部を有する袋本体と、
当該袋本体の折り込み部から連続して延びる折り込み部に取手穴を有し、前記袋本体の上部両側に備わる手提げ部と、
が備わっていることを特徴とする、
請求項１記載の袋集合体。
【請求項６】
前記袋は、前記手提げ部の間の袋本体上縁に先端が対向する自由端となっている舌片を備え、当該舌片には前記結合要素が設けられており、前記分離要素は、前記結合要素を囲んで、または結合要素よりも前記袋本体側に舌片を横断するように設けられていることを特徴とする、
請求項５記載の袋集合体。
【請求項７】
前記結合要素は、前記袋本体に設けられ、前記分離要素は、前記結合要素を囲んで、または前記開口部縁の一部と共に前記結合要素を囲んで設けられていることを特徴とする、
請求項５記載の袋集合体。
【請求項８】
前記分離要素が、ミシン目または弱め線である、請求項１から７のいずれかの１項に記載の袋集合体。
【請求項９】
前記袋集合体は、上部に開口枠を有する自立性の保持具内に入れられて前記取付要素は前記保持具の外面に取付けられ、前記袋集合体の最上層側の袋の上部側となるシートだけが前記袋集合体から取り外されて開口部が開かれ、当該開口部の縁部は前記袋保持具の開口枠に装着されるものである、請求項１から８のいずれかの１項に記載の袋集合体。
【請求項１０】
前記保持具が容器である、請求項１から９のいずれかの１項に記載の袋集合体。
【請求項１１】
前記取付要素が粘着部である、請求項１から９のいずれかの１項に記載の袋集合体。
【請求項１２】
上端に開口部となる部分を有する柔軟なプラスチック製の袋素材を扁平状に折り畳み、前記開口部となる部分が同じ方向になるように揃えて複数枚重層した状態で結合要素で結合して袋素材集合体が形成されており、当該袋素材集合体を取付要素により保持具に取付け、前記袋素材集合体から前記袋素材を一枚または複数枚ずつ分離して使用する袋素材集合体であって、
当該袋素材集合体を構成する前記袋素材は、袋素材集合体から分離するための分離要素を有しており、当該分離要素から袋素材を分離すると、分離した側は、開口部を有する袋となり、前記袋素材集合体側には、袋素材の一部が分離部として残り、当該分離部側には、前記結合要素と前記保持具への取付要素が備わることを特徴とする、
袋素材集合体。
【請求項１３】
袋素材集合体から分離された袋には、取手穴を有する手提げ部が開口部の両側に備わることを特徴とする、
請求項１２記載の袋素材集合体。
【請求項１４】
チューブ状に形成された柔軟なプラスチック製のシートの両側に、内側へ折り込まれている折り込み部を対向して形成して扁平化し、更にシートの上端部と下端部に熱溶着により封じられた封じ部を有する袋素材を複数枚重層した状態で結合要素で結合して袋素材集合体が形成されており、当該袋素材集合体を取付要素により保持具に取付け、前記袋素材集合体の外層側の袋素材を分離して使用する袋素材集合体であって、
前記袋素材は、
前記上端部側中央部分に設けられており前記上端部の封じ部及び両側の折り込み部の端縁を含む分離部と、
前記下端部の封じ部を含む袋構成部と、
に区分する分離要素を有し、
当該分離要素は、
上端が開口し両側部に折り込み部を有する袋本体となる部分と、
当該袋本体の折り込み部から連続して延びる折り込み部に取手穴を有し、前記袋本体となる部分の上部両側に備わる手提げ部となる部分と、
を形成すべく構成されており、
前記分離要素から袋素材を分離すると、分離した側は、開口部を有する袋本体と手提げ部を有する袋となり、前記袋素材集合体側には、袋素材の一部が分離部として残り、当該分離部側には、前記結合要素と前記保持具への取付要素が備わることを特徴とする、
袋素材集合体。
【請求項１５】
前記結合要素は、前記分離部側にあり、
前記分離要素は、前記袋本体となる部分、前記手提げ部となる部分、に加えて、前記手提げ部となる部分の間に、先端が対向する自由端である舌片となる部分が袋本体となる部分から延びて形成されるべく構成されている、
請求項１４記載の袋素材集合体。
【請求項１６】
チューブ状に形成された柔軟なプラスチック製のシートの両側に、内側へ折り込まれている折り込み部を対向して形成して扁平化し、更にシートの上端部と下端部に熱溶着により封じられた封じ部を有する袋素材を複数枚重層した状態で結合要素で結合して袋素材集合体が形成されており、当該袋集合体を取付要素により保持具に取付け、前記袋素材集合体の外層側の袋素材を分離して使用する袋素材集合体であって、
前記袋素材は、
前記上端部側中央部分に設けられており前記上端部の封じ部及び両側の折り込み部の端縁を含む分離部と、
前記下端部の封じ部を含む袋構成部と、
に区分する第１の分離要素を有し、
当該第１の分離要素は、
上端が開口し両側部に折り込み部を有する袋本体となる部分と、
当該袋本体の折り込み部から連続して延びる折り込み部に取手穴を有し、前記袋本体となる部分の上部両側に備わる手提げ部となる部分と、
当該手提げ部となる部分の間に、前記袋本体の端縁部から延びており先端が対向する自由端である舌片となる部分と、
を形成すべく構成されており、
前記舌片となる部分には前記結合要素が設けられており、当該結合要素を囲んで、または結合要素よりも前記袋本体となる部分側に舌片となる部分を横断するように第２の分離要素が設けられており、
前記第１の分離要素から袋素材を分離すると、分離した側は、開口部を有する袋本体と手提げ部と舌片を有する袋となり、
第２の分離要素から袋素材を分離すると、前記袋素材集合体側には、袋素材の一部が分離部として残り、当該分離部側には、前記結合要素と前記保持具への取付要素が備わることを特徴とする、
袋素材集合体。
【請求項１７】
前記分離要素が、ミシン目または弱め線である、請求項１２から１６のいずれかの１項に記載の袋素材集合体。
【請求項１８】
前記袋素材集合体は、上部に開口枠を有する自立性の保持具内に入れられて前記取付要素は前記保持具の外面に取付けられ、前記袋素材集合体の最上層側の袋素材の上部側となるシートだけが前記袋素材集合体から取り外されて開口部が形成されて開かれ、当該開口部の縁部は前記袋保持具の開口枠に装着されるものである、
請求項１２から１７のいずれかの１項に記載の袋素材集合体。
【請求項１９】
前記保持具が容器である、請求項１２から１８のいずれかの１項に記載の袋素材集合体。
【請求項２０】
前記取付要素が粘着部である、請求項１２から１８のいずれかの１項に記載の袋素材集合体。
【発明の詳細な説明】
【技術分野】
【０００１】
本発明は、袋集合体及び袋素材集合体に関する。
更に詳しくは、保持具に取付け、袋集合体または袋素材集合体から一枚ずつ袋または袋素材を分離して使用するものに関する。
【背景技術】
【０００２】
例えば、ゴミ容器にゴミを収容する場合は、一般的にはゴミ容器の中に、例えばプラスチック製の袋を拡げて設置し、当該袋の中にゴミを入れて収容することが多い。これによって、ゴミを廃棄処分する場合、ゴミ容器から袋を取り出すだけで廃棄処分することができ、ゴミ容器内のゴミが散乱することもなく、ゴミ容器内が汚れることも防止できる。
【０００３】
ゴミ容器の中に、袋を拡げて設置するにあたり、袋の交換を便利にしたものの一例が、特許文献１に記載されている。特許文献１には、入り口部を揃えて重ねられた複数の袋と、この袋の重ねられた入り口部を保持する保持体と、この保持体に前記袋の重ねられた入り口部を係止する係止手段と、前記保持体を構造物に掛着する掛着具とを備える袋の束を、プラスチック容器の中に入れて、例えば両面テープからなる掛着具により、前記保持体とプラスチック容器とを相互に接続する。
【０００４】
袋を使用するときには、保持体上に保持された複数の袋のうち、一番上の袋の入り口を捲り上げて係止手段から引き剥がし、袋の入り口部を屑籠の縁や枠体の突出部やその他の支持部に巻き込み、袋の入り口が開いた状態に配置して使用するようになっている（請求項１、〔０００４〕〜〔０００９〕）。
【０００５】
前記係止手段としては、係止針、糸、リベット、ボルト・ナット、部分接着、端面溶着、加熱棒を差し込む孔開け溶着が開示されている（〔０００６〕）。
【先行技術文献】
【特許文献】
【０００６】
【特許文献１】実開平７−１５６０６号公報
【発明の概要】
【発明が解決しようとする課題】
【０００７】
特許文献１記載の袋の使用に当たっては、一番上の袋を袋の束から引き剥がしまたは剥ぎ取り使用するという記載があり、従って、袋は係止されている箇所を破損しながら袋の束からはぎ取らざるを得ないようになっている。
袋が丈夫な素材で形成されている場合は、係止されている箇所は破損しにくく、したがって、はぎ取りにくい。また、袋が脆弱な素材で形成されている場合は、大きく破損して、使用に耐えない場合が生じる等の課題がある。
【０００８】
また、前記袋をごみ袋として使用する場合は、袋の入り口部を一回閉じれば、袋の入り口部を開閉する必要はないと考えられるが、各種物品を収容する場合は、物品の出し入れの際に袋の入り口部は開閉され、この部分が破損していると開閉作業がやりにくい課題がある。
【０００９】
また、前記袋には取手となる穴が無いために、袋が大きく内容物も多く入った結果、総重量が重かったり、袋の中に入っている収容物が重い場合は、袋を掴む握力だけでは、容器内から袋を取り出しにくい課題がある。
【００１０】
（本発明の目的）
そこで、本発明の目的は、袋集合体または袋素材集合体から、袋を破損することなく取り去りまたは剥がしやすくすることにある。
また、本発明の他の目的は、容器内から袋を引き出しやすく、運搬も容易にすることにある。
【課題を解決するための手段】
【００１１】
前記課題を解決するために本発明が講じた手段は次のとおりである。
（１）上端に開口部を有する柔軟なプラスチック製の袋を扁平状に折り畳み、前記開口部が同じ方向になるように揃えて複数枚重層した状態で結合要素で結合して袋集合体が形成されており、当該袋集合体を取付要素により保持具に取付け、前記袋集合体から前記袋を一枚または複数枚ずつ分離して使用する袋集合体であって、
当該袋集合体を構成する前記袋は、袋集合体から分離するための分離要素を有しており、当該分離要素から袋を分離したとき、前記袋集合体側には、袋の一部が分離部として残り、当該分離部側には、前記結合要素と前記保持具への取付要素が備わる、袋集合体である。
【００１２】
（２）前記袋集合体から分離された袋には、前記分離部が除かれた痕跡による取手穴または切欠部が形成される、前記（１）に係る袋集合体である。
【００１３】
（３）前記袋集合体は、外層側の袋から順に分離して使用されるものであり、
前記結合要素は、前記開口部より下方に設けられており、
前記分離要素は、前記結合要素を囲んで設けられており、
前記取付要素は、前記袋集合体の取付側に設けられており、
前記袋集合体から分離された袋は、前記分離部が除かれた痕跡による取手穴を有する、前記（１）に係る袋集合体である。
【００１４】
（４）前記袋集合体は、外層側の袋から順に分離して使用されるものであり、
前記結合要素は、前記開口部より下方に設けられており、
前記分離要素は、前記開口部縁の一部と共に前記結合要素を囲んで設けられており、
前記取付要素は、前記袋集合体の取付側に設けられており、
前記袋集合体には、袋集合体を貫通して取手穴が設けられており、
前記袋集合体から分離された袋は、前記分離部が除かれた痕跡による切欠部と、前記取手穴を有する、前記（１）に係る袋集合体である。
【００１５】
（５）前記袋集合体は、外層側の袋から順に分離して使用されるものであり、
前記袋は、
チューブ状に形成された単一のシートの両側に、内側へ折り込まれている折り込み部を対向して形成して扁平化し、前記シートの上端部と下端部に熱溶着により封じられた封じ部を有し、                                                                     
前記シートの中央部分に、前記折り込み部端を含んで前記シートの上端部側から下端部側に向けて抜き部が形成されることにより、
上端が開口し両側部に折り込み部を有する袋本体と、
当該袋本体の折り込み部から連続して延びる折り込み部に取手穴を有し、前記袋本体の上部両側に備わる手提げ部と、
が備わっている、前記（１）に係る袋集合体である。
【００１６】
（６）前記袋は、前記手提げ部の間の袋本体上縁に先端が対向する自由端となっている舌片を備え、当該舌片には前記結合要素が設けられており、前記分離要素は、前記結合要素を囲んで、または結合要素よりも前記袋本体側に舌片を横断するように設けられていることを特徴とする、前記（５）に係る袋集合体である。
【００１７】
（７）前記結合要素は、前記袋本体に設けられ、前記分離要素は、前記結合要素を囲んで、または前記開口部縁の一部と共に前記結合要素を囲んで設けられている、前記（５）に係る袋集合体である。
【００１８】
（８）前記袋集合体は、上部に開口枠を有する自立性の保持具内に入れられて前記取付要素は前記保持具の外面に取付けられ、前記袋集合体の最上層側の袋の上部側となるシートだけが前記袋集合体から取り外されて開口部が開かれ、当該開口部の縁部は前記袋保持具の開口枠に装着されるものである、前記（１）から（７）のいずれかの一つに係る袋集合体である。
【００１９】
（９）上端に開口部となる部分を有する柔軟なプラスチック製の袋素材を扁平状に折り畳み、前記開口部となる部分が同じ方向になるように揃えて複数枚重層した状態で結合要素で結合して袋素材集合体が形成されており、当該袋素材集合体を取付要素により保持具に取付け、前記袋素材集合体から前記袋素材を一枚または複数枚ずつ分離して使用する袋素材集合体であって、
当該袋素材集合体を構成する前記袋素材は、袋素材集合体から分離するための分離要素を有しており、当該分離要素から袋素材を分離すると、分離した側は、開口部を有する袋となり、前記袋素材集合体側には、袋素材の一部が分離部として残り、当該分離部側には、前記結合要素と前記保持具への取付要素が備わる、袋素材集合体である。
【００２０】
（１０）袋素材集合体から分離された袋には、取手穴を有する手提げ部が開口部の両側に備わる、前記（９）に係る袋素材集合体である。
【００２１】
（１１）チューブ状に形成された柔軟なプラスチック製のシートの両側に、内側へ折り込まれている折り込み部を対向して形成して扁平化し、更にシートの上端部と下端部に熱溶着により封じられた封じ部を有する袋素材を複数枚重層した状態で結合要素で結合して袋素材集合体が形成されており、当該袋素材集合体を取付要素により保持具に取付け、前記袋素材集合体の外層側の袋素材を分離して使用する袋素材集合体であって、
前記袋素材は、
前記上端部側中央部分に設けられており前記上端部の封じ部及び両側の折り込み部の端縁を含む分離部と、
前記下端部の封じ部を含む袋構成部と、
に区分する分離要素を有し、
当該分離要素は、
上端が開口し両側部に折り込み部を有する袋本体となる部分と、
当該袋本体の折り込み部から連続して延びる折り込み部に取手穴を有し、前記袋本体となる部分の上部両側に備わる手提げ部となる部分と、
を形成すべく構成されており、
前記分離要素から袋素材を分離すると、分離した側は、開口部を有する袋本体と手提げ部を有する袋となり、前記袋素材集合体側には、袋素材の一部が分離部として残り、当該分離部側には、前記結合要素と前記保持具への取付要素が備わる、袋素材集合体である。
【００２２】
（１２）前記結合要素は、前記分離部側にあり、
前記分離要素は、前記袋本体となる部分、前記手提げ部となる部分、に加えて、前記手提げ部となる部分の間に、先端が対向する自由端である舌片となる部分が袋本体となる部分から延びて形成されるべく構成されている、前記（１１）に係る袋素材集合体である。
【００２３】
（１３）チューブ状に形成された柔軟なプラスチック製のシートの両側に、内側へ折り込まれている折り込み部を対向して形成して扁平化し、更にシートの上端部と下端部に熱溶着により封じられた封じ部を有する袋素材を複数枚重層した状態で結合要素で結合して袋素材集合体が形成されており、当該袋集合体を取付要素により保持具に取付け、前記袋素材集合体の外層側の袋素材を分離して使用する袋素材集合体であって、
前記袋素材は、
前記上端部側中央部分に設けられており前記上端部の封じ部及び両側の折り込み部の端縁を含む分離部と、
前記下端部の封じ部を含む袋構成部と、
に区分する第１の分離要素を有し、
当該第１の分離要素は、
上端が開口し両側部に折り込み部を有する袋本体となる部分と、
当該袋本体の折り込み部から連続して延びる折り込み部に取手穴を有し、前記袋本体となる部分の上部両側に備わる手提げ部となる部分と、
当該手提げ部となる部分の間に、前記袋本体の端縁部から延びており先端が対向する自由端である舌片となる部分と、
を形成すべく構成されており、
前記舌片となる部分には前記結合要素が設けられており、当該結合要素を囲んで、または結合要素よりも前記袋本体となる部分側に舌片となる部分を横断するように第２の分離要素が設けられており、
前記第１の分離要素から袋素材を分離すると、分離した側は、開口部を有する袋本体と手提げ部と舌片を有する袋となり、
第２の分離要素から袋素材を分離すると、前記袋素材集合体側には、袋素材の一部が分離部として残り、当該分離部側には、前記結合要素と前記保持具への取付要素が備わる、袋素材集合体である。
【００２４】
（１４）前記袋素材集合体は、上部に開口枠を有する自立性の保持具内に入れられて前記取付要素は前記保持具の外面に取付けられ、前記袋素材集合体の最上層側の袋素材の上部側となるシートだけが前記袋素材集合体から取り外されて開口部が形成されて開かれ、当該開口部の縁部は前記袋保持具の開口枠に装着されるものである、前記（９）から（１３）に係る袋素材集合体である。
【００２５】
本明細書、特許請求の範囲及び要約書において、袋素材の用語は、袋のように予め形成された開口または開口部を備えておらず、袋を構成する部分、すなわち袋構成部を切り離すことにより、開口または開口部が形成されて袋となるものを指称する用語として使用している。
袋素材集合体は、前記のような袋素材を複数枚重層した状態で結合したものを指称する用語として使用している。
【００２６】
袋または袋素材の原料のプラスチックとしては、ポリエチレン、ポリプロピレン等が好適に使用できる。ポリエチレン、ポリプロピレン等で作られたシートまたはフィルムが、透明性を有する場合は、袋内の内容物を外側から視認できる。
袋または袋素材をゴミ袋として使用する場合は、内容物が鳥、特に烏から見えないような色彩に着色すると良い。袋または袋素材の表面に、印刷を施しても良い。
【００２７】
結合要素としては、加熱した棒（丸形、多角形、板状形等断面形状は問わない。）を重層されている複数枚の袋または袋素材を貫通して、棒の周囲のシートを溶融して複数枚の袋または袋素材を一体に結合して形成した結合穴をあげることができる。その他に、ステープラの針や針金等の線条体、紐条体、クリップ等が使用できる。要するに、重層されている複数枚の袋または袋素材を結合できれば、要素や手段については何ら限定する意図はない。
【００２８】
分離要素としては、ミシン目または弱め線が好適に使用されるが、袋集合体または袋素材集合体から、袋を分離できれば、他の要素や手段を採用することもできる。また、分離要素の形も特に限定されない。
ミシン目は、例えば一枚の袋または袋素材に形成しておくこともできるし、重層されている複数枚の袋または袋素材からなる袋集合体または袋素材集合体に形成刃を貫通させて形成することもできる。弱め線は、例えば袋または袋素材の分離要素の部分のシートの厚みを、他の箇所より薄くすることによって形成できる。
【００２９】
袋素材集合体の場合は、袋素材集合体から分離要素に沿って袋素材を分離することによって袋が形成される。
【００３０】
袋または袋素材は、プラスチック製のシートまたはフィルムを重ね、折り込み部が無い、いわゆる平袋構造の袋の他、両側に折り込み部（襠）を有する構造のガゼット袋を採用することもできる。
【００３１】
両側に折り込み部（襠）を有する袋または袋素材の場合は、例えばインフレーション成形によってプラスチックシートまたはフィルムをチューブ状に形成した単一のシートの両側に、内側へ折り込まれている折り込み部を対向して形成して扁平化し、更に熱溶着により密封された封じ部をシートの上端部と下端部に有する袋素材を形成した後、各種加工を施すことができる。
【００３２】
袋素材の上端側に抜き加工をすることによって、袋本体と、袋本体の上部両側に備わる手提げ部と、手提げ部の間に舌片が形成された、いわゆるレジ袋と称される形態の袋が形成される。また、手提げ部の間に舌片がない、いわゆるＵバックと称される形態の袋が形成される。
【００３３】
また、袋素材の上端側に抜き加工と同様な効果を奏する抜き部を分離する分離線を形成加工することによって、抜き部が取り去られると、いわゆるレジ袋と称される形態の袋が形成される。また、手提げ部の間に舌片がない、いわゆるＵバックと称される形態の袋が形成される。
【００３４】
袋本体の上部両側に備わる手提げ部を有する袋の場合は、物を入れて運ぶ場合に手提げ部があるので便利であるが、複数枚重層した状態で結合したとき、手提げ部がばらけて取扱いに不便をきたすことがある。
このような場合は、手提げ部を一体にまとめる手段、例えば結束体や溶着などの結合手段でまとめることが好ましい。
また、手提げ部と袋本体が一体となっている袋素材の場合は、手提げ部がばらけないので取扱いに便利である。
また、舌片に結合要素が設けられており、分離要素が結合要素を囲むよう形成されている袋素材であって、袋素材集合体から袋素材を分離すると舌片に穴が形成される袋となるものは、一方の舌片を他方の舌片の穴の中に通して使用できる。
【００３５】
取付要素としては、例えば両面粘着テープが好適に使用できる。両面粘着テープの代わりに、粘着剤を袋集合体または袋素材集合体の取付側に塗布しても良い。保持具に掛止手段、例えばフックが備えられている場合は、フックに掛ける穴でも良い。また、紐を使用することもできる等、保持具に取り付けられるものであれば、特に限定する意図はない。
【００３６】
袋集合体または袋素材集合体を保持する保持具として、容器が好適に使用できる。容器にはゴミ容器、部品収容容器など、その用途は問わない。また、管体または棒体でフレームを形成し、袋集合体または袋素材集合体を保持する構造の保持具でも良く、袋集合体または袋素材集合体を保持できれば、特に限定する意図はない。
【００３７】
（作用）
本発明に係る作用の一例を説明する。
袋集合体または袋素材集合体を、上部に開口枠を有する自立性の保持具（例えば容器）内に入れ、取付要素（例えば粘着部）で袋保持具の外面に取付ける。
【００３８】
その後に、袋集合体または袋素材集合体の最上層側の袋または袋素材の上部側となるシートだけを袋素材または袋素材集合体からはぎ取って取り外して、被包物（例えば、ゴミ、各種物品）を入れる開口部を開き、開口部の縁を捲って裏返しにして保持具の開口枠に装着する。これによって、袋または袋素材の開口部は拡げられ、袋または袋素材内に被包物を投入できる。なお、袋素材の場合は、上部に開口部を有する袋の半加工品となる。
【００３９】
袋または袋素材内の被包物を保持具から取り出すときは、袋集合体または袋素材集合体側に残した下部側となるシートを分離要素に沿って袋集合体または袋素材集合体から分離する。これによって袋素材の場合は、袋の半加工品から袋が形成される。また、袋に取手穴が形成される。
その後、取手穴に手指を入れまたは手提げ部を手で掴み、保持具から引き上げて、適宜処理する。
【発明の効果】
【００４０】
本発明によれば、袋集合体または袋素材集合体を保持具に取り付け、袋集合体または袋素材集合体から、袋を分離しまたは剥がして使用できるので、一枚ずつ袋を保持具に取り付けて使用する場合よりも、袋の簡便な使用が可能となる。
また、分離要素によって袋集合体または袋素材集合体から、袋を破損することなく分離しまたは剥がすことができる。
更に、袋には取手穴または手提げ部が備えられるので、容器内から袋を引き出しやすく、運搬も容易となる。
更にまた、袋素材集合体から袋素材を分離すると手提げ部が形成される袋となるものは、分離前は、手提げ部は袋素材に一体化しているので、手提げ部だけがばらつくことが無く、取扱いが容易である。
【図面の簡単な説明】
【００４１】
【図１】本発明に係る第１の実施の形態を示す斜視説明図である。
【図２】図１に示す袋集合体を、容器に装着する様子を示す斜視説明図である。
【図３】図１に示す袋集合体を、容器に装着した様子を示しており、円内は、袋集合体から袋の上部側となるシートを分離した状態を示す、要部を拡大した断面説明図である。
【図４】図１に示す袋集合体の使用状態のサイクルを示す説明図である。
【図５】本発明に係る第２の実施の形態を示す平面説明図である。
【図６】本発明に係る第３の実施の形態を示す平面説明図である。
【図７】本発明に係る第４の実施の形態を示す平面説明図である。
【図８】本発明に係る第５の実施の形態を示す平面説明図である。
【図９】図８に示す袋素材集合体を、保持フレームに装着する様子を示す斜視図である。
【図１０】本発明に係る第６の実施の形態を示す平面説明図である。
【発明を実施するための形態】
【００４２】
本発明を図に示した実施の形態に基づき詳細に説明する。
【実施の形態１】
【００４３】
図１乃至図４を参照する。
袋集合体１は、上端に対向する自由縁部で形成されている開口部１１を有する柔軟なプラスチック（例えばポリエチレンであり、以下の実施の形態においても同じである）製の袋１０を扁平状に折り畳み、開口部１１が同じ方向になるように揃えて複数枚重層した状態で結合して形成されている。袋集合体１は、袋集合体１の一方の外層側（図１における上面側）の袋１０から順に一枚ずつ袋１０を分離して使用する。
【００４４】
袋１０は、例えば透明なチューブ状に形成された単一の柔軟なプラスチック製のシートの両側に、内側へ折り込まれている折り込み部１２を対向して形成して扁平化して二枚重ねとし、更に熱溶着により密封された封じ部１３を袋１０の下端部に有する。折り込み部１２は、ガゼットや襠とも称される。１２０は、折り込み部の端縁である。
【００４５】
袋集合体１は、重層されている複数枚の袋１０を一体に結合する結合要素である結合穴１４を有する。結合穴１４は、袋１０の上端の開口部１１よりやや下方で、幅方向の中央部分に、横並びに三箇所設けられている。
【００４６】
結合穴１４は、加熱した棒を重層されている複数枚の袋１０に貫通させ、棒の周囲のシートを溶融して複数枚の袋１０を一体に結合して形成される。
【００４７】
結合穴１４は、重層されている複数枚の袋１０を一体に結合するものであり、縦方向二箇所や四箇所あるいは三角形の頂点の位置に設けることもでき、その形状、方向や数は、適宜設定される。このことは、以下に示す実施の形態の場合も同様である。
【００４８】
三箇所の結合穴１４を囲んで、袋集合体１から一枚の袋を分離する分離要素１５が設けられている。分離要素１５は、例えばミシン目または弱め線が使用される。
分離要素１５は、例えばミシン目を形成する形成刃を重層されている複数枚の袋１０に貫通させて形成することができる。また、例えば、予め袋一枚ずつに分離要素１５を設けておくことによっても形成できる。
【００４９】
三箇所の結合穴１４を囲む分離要素１５は、小判形または長円形状を描くように形成する。分離要素１５により、袋集合体１から袋１０を分離したとき、袋集合体１側には、袋１０から分離された分離片である分離部１６が残る。分離部１６は結合穴１４で結合されているから、袋集合体１から全ての袋１０を分離したときは、分離部１６はシートの分離片の一塊となる。
【００５０】
分離部１６には、取付要素であり、表裏両面に接着面を有する粘着テープ１７の一方の面が接着されている。粘着テープ１７は、袋集合体１の他方の外層側の分離部１６の外面側に設けられている。粘着テープ１７は、例えばプラスチック製の容器Ｂに取付けられる。
なお、容器Ｂは自立性を有し、その素材は、プラスチック製に限定されるものではなく、例えば、金属製、木製など適宜な素材が使用できる。このことは以下の実施の形態に使用する容器についても同様である。
【００５１】
（作用）
図２乃至図４を参照する。
図２に示すように、袋集合体１を容器Ｂの開口部Ｂ１から入れる。その際に、粘着テープ１７を接着した側が、容器Ｂの外側にくるようにする。袋集合体１を容器Ｂ内に入れたら粘着テープ１７の他方の面の剥離紙を剥がして容器Ｂの外側面Ｂ２に接着する（図３、図４(a)参照）。しかる後、袋集合体１の上層側から順に一枚ずつ袋１０を分離して使用する。
【００５２】
使用方法の一例として、例えば、袋１０の二枚重ねのシートのうち、上部側となるシート１０１（粘着テープ１７と反対方向側のシート）だけを袋集合体１から剥ぎ取り、下部側となるシート１０２（粘着テープ１７方向側のシート）は、剥ぎ取らずに袋集合体１側に残す。
【００５３】
袋１０の上部側となるシート１０１は、袋集合体１から剥ぎ取る際に、分離要素１５の箇所から剥ぎ取られ、分離部１６が袋１０の上部側となるシート１０１から除去され、シート１０１に取手穴１８が形成される。
そして袋１０の下部側となるシート１０２を袋集合体１側に残したまま開口部１１を開き、開口部１１の縁を捲るようにして容器Ｂの開口部縁Ｂ３に被せる。
【００５４】
袋１０の中に内容物、例えばゴミが所要量溜まったら、袋１０の下部側となるシート１０２を分離要素１５の箇所から剥ぎ取り、袋１０を袋集合体１から取り去る。剥ぎ取る際に、下部側のシート１０２から分離部１６が除去され、同シート１０２に取手穴１８が形成される。
【００５５】
これによって袋１０全体が袋集合体１から分離すると共に、袋１０の両側のシート１０１，１０２に手指が入る大きさの取手穴１８が形成される。取手穴１８の大きさは、収容物の重量が軽ければ、指一本が入る程度でも良いし、重ければ全部の手指が入る大きさに設定される等、収容物の重量によって適宜設定される。
【００５６】
その後は、容器Ｂから袋１０を引き上げて取り去り（図４(c)参照）、前記袋１０の取り去りに伴い上層に位置する袋１０を、前記と同様にして容器Ｂに取りつけ、順次同様にして袋集合体１の袋１０を全て使用する。
【００５７】
全ての袋１０を使用した後は、結合穴１４を有する分離部１６は、シートの分離片の一塊となって容器Ｂ側に接着したまま残るので、それを取り去り、新しい袋集合体１を前記と同様にして使用する。
【実施の形態２】
【００５８】
図５を参照する。
袋集合体２は、上端に対向する自由縁部で形成されている開口部２１を有する柔軟なプラスチック製の袋２０を扁平状に折り畳み、開口部２１が同じ方向になるように揃えて複数枚重層した状態で結合して形成されている。袋集合体２は、袋集合体２の一方の外層側（図５に表示されている側）の袋２０から順に一枚ずつ袋２０を分離して使用する。
【００５９】
袋２０は、例えば透明なチューブ状に形成された単一の柔軟なプラスチック製のシートの両側に、内側へ折り込まれている折り込み部２２を対向して形成して扁平化して二枚重ねとし、更に熱溶着により密封された封じ部２３を袋２０の下端部に有する。折り込み部２２は、ガゼットや襠とも称される。２２０は、折り込み部の端縁である。
【００６０】
袋集合体２は、重層されている複数枚の袋２０を一体に結合する結合要素である結合穴２４を有する。結合穴２４は、袋２０の上端の開口部２１よりやや下方で、幅方向の中央部分に、横並びに三箇所設けられている。
【００６１】
結合穴２４は、加熱した棒を重層されている複数枚の袋２０に貫通させ、棒の周囲のシートを溶融して複数枚の袋２０を一体に結合して形成される。
【００６２】
三箇所の結合穴２４を、上端縁２９の一部と共に囲んで、袋集合体２から一枚の袋を分離する分離要素２５が設けられている。分離要素２５は、例えばミシン目または弱め線が使用される。本実施の形態では分離要素２５は、長手方向の上半分が欠損した半小判形または半長円形状を描くように設けられている。
【００６３】
分離要素２５により、袋集合体２から単一の袋２０を分離したとき、袋集合体２側には長手方向の上半分が欠損した外形が半小判形または半長円形状の分離部２６が残る。袋２０には、分離部２６が除かれた痕跡による切欠部が形成される。
分離部２６は結合穴２４で結合されているから、袋集合体２から全ての袋２０を分離したときは、結合穴２４を有する分離部２６は、シートの分離片の一塊となる。
【００６４】
分離部２６には、取付要素であり、表裏両面に接着面を有する粘着テープ２７の一方の面が接着されている。粘着テープ２７は、袋集合体２の他方の外層側の分離部２６の外面側に設けられている。
【００６５】
分離部２６の下方には、取手穴２８が、予め袋集合体２を貫通して形成されている。取手穴２８の大きさは、収容物の重量が軽ければ、指一本が入る程度でも良いし、重ければ全部の手指が入る大きさに設定される等、収容物の重量によって適宜設定されることは、実施の形態１の場合と同様である。
【００６６】
（作用）
本実施の形態に係る袋集合体２及び袋２０には、予め取手穴２８が形成されていること及び袋２０の上端部分の分離部２６の除去に伴って、袋２０の上端縁に切欠部が形成されること、を除いては、実施の形態１の場合と大体において同様であるので、使用方法については実施の形態１の説明を援用し、説明を省略する。
【実施の形態３】
【００６７】
図６を参照する。
袋集合体３は、上端に対向する自由縁部で形成されている開口部３１を有する柔軟なプラスチック製の袋３０を扁平状に折り畳み、開口部３１が同じ方向になるように揃えて複数枚重層した状態で結合して形成されている。袋集合体３は、袋集合体の一方の外層側（図６に表示されている側）の袋３０から順に一枚ずつ袋３０を分離して使用する。
【００６８】
袋３０は、例えば透明なチューブ状に形成された単一の柔軟なプラスチック製のシートの両側に、内側へ折り込まれている折り込み部３２を対向して形成して扁平化して二枚重ねとし、更にシートの下端部と上端部に熱溶着により密封された封じ部３３，３３０を有している。
【００６９】
シートの中央部分に、折り込み部３２の端縁３２０の一部を含んで上端部の封じ部３３０側から下端部の封じ部３３に向けて抜き部を形成することにより、上端が開口し両側部に折り込み部３２を有する袋本体３００と、袋本体３００の折り込み部から連続して上方に延びる折り込み部に取手穴（図示省略）を有し、前記袋本体３００の上部両側に備わる手提げ部３１０と、両手提げ部３１０の間の袋本体３００上縁に形成され、熱溶着により封じられた封じ部が取り去られた、先端が対向する自由端となっている舌片３６０と、が形成されている。
【００７０】
袋集合体３は、舌片３６０の上端部より下方に設けられており、重層されている複数枚の袋３０を一体に結合する結合要素である結合穴３４を有する。結合穴３４は、舌片３６０に、横方向に三箇所設けられている。結合穴３４は二箇所や四箇所に設けることもでき、その形状、方向や数は、適宜設定される。
【００７１】
結合穴３４は、加熱した棒を重層されている複数枚の袋３０に貫通させ、棒の周囲のシートを溶融して複数枚の袋３０を一体に結合して袋集合体３を形成している。
袋集合体３から単一の袋３０を分離する分離要素３５が、舌片３６０に設けられている結合穴３４の下側に設けられている。分離要素３５は、例えばミシン目または弱め線が使用される。本実施の形態では分離要素３５は、横方向に直線状である。分離要素３５により、袋集合体３から単一の袋３０を分離したとき袋集合体３側には舌片３６０の先端部分である分離部３６が残る。
【００７２】
分離部３６には、表裏両面が接着面になっている粘着テープ３７の一方の面が接着されている。粘着テープ３７は、袋集合体３の他方の外層側の分離部３６の外面側に設けられている。
【００７３】
また、手提げ部の間に、舌片が無い形態の袋及び袋集合体を形成する場合は、シートの中央部分に、折り込み部の端縁３２０の一部を含んで上端部の封じ部３３０側から下端部の封じ部３３に向けて「Ｖ」形状、「Ｕ」形状、または「コ」（角底）形状の抜き部を形成する。
この場合は、重層されている複数枚の袋３０を一体に結合する結合要素である結合穴は、実施の形態１の袋のように、袋本体３００の上端の開口部３１よりやや下方に設けられ、結合穴を囲んで袋集合体３から一枚の袋３０を分離する分離要素が設けられる。
【００７４】
また、実施の形態２の袋のように、袋本体３００の上端の開口部よりやや下方に設けられ、分離要素は、袋本体３００の上端縁の一部と共に結合穴を囲んで設けられる。
分離要素に、例えばミシン目または弱め線が使用されることは前記の場合と同様である。
【００７５】
（作用）
本実施の形態に係る袋集合体３及び袋３０には、袋本体３００の上部両側に、取手穴を有する手提げ部３１０が形成されていること、を除いては、実施の形態１の場合と大体において同様であるので、使用方法については実施の形態１の説明を援用し、説明を省略する。
【実施の形態４】
【００７６】
図７を参照する。
本実施の形態は、実施の形態３で説明した袋及び袋集合体の場合とは、舌片に形成される分離要素の形状が異なっているだけであるから、同一箇所には同一符号を付して説明する。
【００７７】
袋集合体３は、舌片３６０の上端部より下方に設けられており、重層されている複数枚の袋３０を一体に結合する結合要素である結合穴３４を有する。結合穴３４は、舌片３６０に、横方向に三箇所設けられている。結合穴３４は二箇所や四箇所に設けることもでき、その形状、方向や数は、適宜設定される。
【００７８】
結合穴３４は、加熱した棒を重層されている複数枚の袋３０に貫通させ、棒の周囲のシートを溶融して複数枚の袋３０を一体に結合して袋集合体３を形成している。
【００７９】
袋集合体３から単一の袋３０を分離する分離要素３５０が、舌片３６０に設けられている結合穴３４を囲んで設けられている。分離要素３５０は、例えばミシン目または弱め線が使用される。分離要素３５０により、袋集合体３から単一の袋３０を分離したとき、袋集合体３側には分離部３６が残る。
【００８０】
本実施の形態では分離要素３５０は、角円の四角形状を描くように設けられているが、この形状に限定されるものではなく、長円形状、三角形状等、形状は適宜設定される。また、結合穴３４が複数設けられる場合は、各結合穴を囲むように、分離要素も複数設けることもできる。
【００８１】
その他の構成などは、前記実施の形態３の場合と同様であるので、実施の形態３の説明を援用し、説明を省略する。
【実施の形態５】
【００８２】
図８を参照する。
本実施の形態、及び後記の実施の形態６の場合は、前記実施の形態１〜４の袋のように、予め形成された開口部を有していない。従って、袋に相当するものを袋素材とし、袋集合体に相当するものを袋素材集合体として説明する。
【００８３】
袋素材集合体４は、例えば透明なチューブ状に形成された柔軟なプラスチック製の単一のシートの両側に、内側へ折り込まれている折り込み部４２を対向して形成して扁平化し、更にシートの下端部と上端部に、熱溶着により封じられた封じ部４３，４３０を有する袋素材４０を、複数枚重層した状態で一体に結合して形成されている。袋素材集合体４の一方の外層側の袋素材４０（図８に表示されている側）から順に一枚ずつ分離して使用する。
【００８４】
前記シートには、上端部側中央部分に設けられており、上端部縁４９及び両側の折り込み部４２の端縁４２０の一部を含む第１の分離部４４０と、下端部の封じ部４３を含む袋構成部４５０と、に区分する第１の分離要素４８を有している。第１の分離要素４８には、例えばミシン目または弱め線が使用される。
本実施の形態では第１の分離要素４８は、概ね逆凹形状の第１の分離部４４０が形成されるように設けられている。
【００８５】
第１の分離要素４８によって袋構成部４５０には、
上端が開口し両側部に折り込み部４２を有する袋本体となる部分４００と、
袋本体となる部分４００の折り込み部４２から連続して上方に延びる折り込み部に取手穴（図示省略）を有し、前記袋本体となる部分４００の上部両側に備わる手提げ部となる部分４１０と、
手提げ部となる部分４１０の間に形成され、先端の溶着部が取り去られて舌片となる部分４６０と、が形成される。
【００８６】
袋素材集合体４は、舌片となる部分４６０に設けられており、重層されている複数枚の袋素材４０を一体に結合する結合要素である結合穴４４を有する。結合穴４４は、舌片となる部分４６０に横方向に三箇所設けられている。
【００８７】
結合穴４４は、加熱した棒を重層されている複数枚の袋素材４０に貫通させ棒の周囲のシートを溶融して複数枚の袋素材４０を結合して形成される。
【００８８】
袋素材集合体４から単一の袋素材４０を分離する第２の分離要素４５が、結合穴４４を囲んで設けられている。第２の分離要素４５は、例えばミシン目または弱め線が使用される。
本実施の形態では第２の分離要素４５は、小判形状または長円形状の線が形成されるように設けられている。
【００８９】
第２の分離要素４５により、袋素材集合体４から単一の袋素材４０を分離したとき袋素材集合体４側には、外形が概ね小判形状または長円形状の第２の分離部４７０が残る。
なお、第２の分離要素４５は、結合穴４４を囲んで設けられておれば、その形状は限定されないことは前記実施の形態の場合と同様である。
【００９０】
図９に示すように、第２の分離部４７０には、取付要素である表裏両面が接着面になっている粘着テープ４７の一方の面が接着されている。粘着テープ４７は、袋素材集合体４の他方の外層側の第２の分離部４７０の外面側に設けられている。
【００９１】
また、手提げ部の間に、舌片が無い形態の袋を形成する場合は、シートの中央部分に、折り込み部の端縁４２０の一部を含んで上端部の封じ部４３０側から下端部の封じ部４３に向けて「Ｖ」形状、「Ｕ」形状、または「コ」（角底）形状の抜き部を形成する第１の分離要素４８が設けられる。
【００９２】
この場合は、重層されている複数枚の袋素材４０を一体に結合する結合要素である結合穴は、実施の形態１の袋のように、袋本体となる部分４００の上端の開口部となる部分よりやや下方に設けられ、結合穴を囲んで袋素材集合体４から一枚の袋素材４０を分離する分離要素が設けられる。
また、実施の形態２の袋のように、袋本体となる部分４００の上端の開口部となる部分よりやや下方に設けられ、分離要素は、袋本体となる部分４００の上端縁の一部と共に結合穴を囲んで設けられる。
分離要素に、例えばミシン目または弱め線が使用されることは前記の場合と同様である。
【００９３】
粘着テープ４７は、保持具である例えば保持フレームＣ（図９参照）の開口枠Ｃ２に接着される。保持フレームＣは、自立性を有し、四方に配置した支脚Ｃ４の上端に開口枠Ｃ２を有する形状をしている。
【００９４】
（作用）
図９に示すように、袋素材集合体４を保持フレームＣの開口枠Ｃ２から入れる。袋素材集合体４を保持フレームＣの開口枠Ｃ２に入れたら粘着テープ４７の他方の面を開口枠Ｃ２の外側面Ｃ２０に接着し固定する。
【００９５】
袋素材集合体４は、袋素材集合体４の上層側から順に一枚ずつ袋素材４０を分離して使用するが、使用に当たっては、まず、第１の分離要素４８の箇所から第１の分離部４４０を除去する。これによって、上端が開口し両側部に折り込み部４２を有する袋本体と、袋本体の折り込み部４２から連続して上方に延びる折り込み部に取手穴（図示省略）を有し、袋本体の上部両側に備わる手提げ部と、手提げ部の間に形成され、先端が対向する自由端となっている舌片が形成される。
【００９６】
しかる後に、袋素材４０の上部側のシート４０１だけを第２の分離要素４５の箇所からから剥ぎ取り、下部側のシートは、剥ぎ取らずに袋素材集合体４側に残す。
【００９７】
袋素材４０の上部側となるシート４０１を袋素材集合体４から剥ぎ取る際に、第２の分離要素４５の箇所から第２の分離部４７０が袋素材４０から除去される。
その後の使い方は、第１の実施の形態と概ね同じであるので、使用方法については実施の形態１の説明を援用し、説明は省略する。
【実施の形態６】
【００９８】
図１０を参照する。
袋素材集合体５は、例えば透明なチューブ状に形成された柔軟なプラスチック製の単一のシートの両側に、内側へ折り込まれている折り込み部５２を対向して形成して扁平化し、更にシートの下端部と上端部に熱溶着により封じられた封じ部５３，５３０を有する袋素材５０を複数枚重層した状態で一体に結合して形成されている。袋素材集合体５の一方の外層側の袋素材５０（図１０に表示されている側）から順に一枚ずつ分離して使用する。
【００９９】
前記シートには、上端部側中央部分に設けられており、上端部縁５９及び両側の折り込み部５２の端縁５２０の一部を含む分離部５４０と、下端部の封じ部５３を含む袋構成部５５０と、に区分する分離要素５８を有している。分離要素５８には、例えばミシン目または弱め線が使用される。
本実施の形態では分離要素５８は、概ね逆凹形状の分離部５４０が形成されるように設けられている。
【０１００】
分離要素５８によって袋構成部５５０には、
上端が開口し両側部に折り込み部５２を有する袋本体となる部分５００と、
袋本体となる部分５００の折り込み部５２から連続して上方に延びる折り込み部に取手穴（図示省略）を有し、前記袋本体となる部分５００の上部両側に備わる手提げ部となる部分５１０と、
手提げ部となる部分５１０の間に形成され、先端が対向する自由端となっている舌片となる部分５６０と、が形成される。
【０１０１】
袋素材集合体５は、重層されている複数枚の袋素材５０を一体に結合する結合要素である結合穴５４を、分離部５４０側に有する。本実施の形態では結合穴５４は、舌片となる部分５６０の両側にそれぞれ一箇所ずつ設けられている。結合穴５４は、縦方向二箇所や四箇所等のように複数箇所に設けることもでき、その配置、形状、方向や数は、適宜設定される。
【０１０２】
結合穴５４は、加熱した棒を重層されている複数枚の袋素材５０に貫通させ棒の周囲のシートを溶融して複数枚の袋素材５０を結合して形成される。
【０１０３】
分離要素５８は、上端部縁５９と共に結合穴５４を囲んで設けられ、前記のように本実施の形態では分離要素５８は、袋素材５０の中央部分に概ね逆凹形状の分離部５４０が形成されるように設けられている。従って、分離要素５８に沿って、袋素材集合体５から単一の袋素材５０を分離したときには、袋素材集合体５側には外形が概ね逆凹形状の分離部５４０が残る。
【０１０４】
分離部５４０には、取付要素、例えば表裏両面が接着面になっている粘着テープ５７の一方の面が接着されている。
粘着テープ５７は、袋素材集合体５の他方の外層側の分離部５４０の外面側に設けられている。
【０１０５】
また、手提げ部の間に、舌片が無い形態の袋を形成する場合は、シートの中央部分に、折り込み部の端縁５２０の一部を含んで上端部の封じ部５３０側から下端部の封じ部５３に向けて「Ｖ」形状、「Ｕ」形状、または「コ」（角底）形状の抜き部を形成する分離要素が設けられる。
【０１０６】
この場合は、重層されている複数枚の袋素材５０を一体に結合する結合要素である結合穴は、実施の形態１の袋のように、袋本体となる部分５００の上端の開口部となる部分よりやや下方に設けられ、結合穴を囲んで袋素材集合体５から一枚の袋素材５０を分離する分離要素が設けられる。
また、実施の形態２の袋のように、袋本体となる部分５００の上端の開口部となる部分よりやや下方に設けられ、分離要素は、袋本体となる部分５００の上端縁と共に結合穴を囲んで設けられる。
分離要素に、例えばミシン目または弱め線が使用されることは前記の場合と同様である。
【０１０７】
（作用）
本実施の形態に係る袋素材集合体５は、自立性を有する保持具に取り付けて使用すること、及び使用方法については、前記実施の形態１〜５の場合と概ね同様であるが、本実施の形態に係る袋素材集合体及び使用方法について敷衍して説明する。
【０１０８】
使用に当たっては、袋素材集合体５の上層側から順に一枚ずつ袋素材５０を分離して使用する。分離要素５８の箇所から袋構成部５５０を除去するが、袋素材５０の上部側のシート５０１だけを分離要素５８の箇所からから剥ぎ取り、分離部５４０と下部側のシートは、剥ぎ取らずに袋素材集合体５側に残す。
【０１０９】
その後は、分離部５４０と袋素材５０の下部側となるシートを袋素材集合体５側に残したまま開口部を開き、使用する。
【０１１０】
袋素材５０の中に内容物、例えばゴミが所要量溜まったら、袋素材５０の下部側となるシートを分離要素５８の箇所から剥ぎ取ることによって袋素材集合体５から袋素材５０が取り去られ、分離部５４０を除いた袋構成部５５０により、袋が形成される。
【０１１１】
その後は、保持具からから袋を取り去り、前記袋の取り去りに伴い上層に位置する袋素材５０を、前記と同様にして保持具に取りつけ、順次同様にして袋素材集合体５の袋素材５０を全て使用する。
【０１１２】
全ての袋素材５０を使用した後は、分離部５４０だけが保持具側に接着したまま残るので、それを取り去り、新しい袋素材集合体５を前記と同様にして使用する。
【０１１３】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【０１１４】
１  袋集合体
１０  袋
１１  開口部
１２  折り込み部
１３  封じ部
１４  結合穴
１５  分離要素
１６  分離部
１７  粘着テープ
１８  取手穴
１０１、１０２  シート
２  袋集合体
２０  袋
２１  開口部
２２  折り込み部
２３  封じ部
２４  結合穴
２５  分離要素
２６  分離部
２７  粘着テープ
２８  取手穴
２９  上端縁
３  袋集合体
３０  袋
３１  開口部
３２  折り込み部
３３  封じ部
３４  結合穴
３５  分離要素
３６  分離部
３７  粘着テープ
３００  袋本体
３１０  提げ部
３２０  端縁
３３０  封じ部
３５０  分離要素
３６０  舌片
４  袋素材集合体
４０  袋素材
４２  折り込み部
４３  封じ部
４４  結合穴
４５  分離要素
４６  分離部
４７  粘着テープ
４８  分離要素
４９  上端部縁
４００  袋本体となる部分
４０１  シート
４１０  手提げ部となる部分
４２０  端縁
４３０  封じ部
４４０  分離部
４５０  袋構成部
４６０  舌片となる部分
４７０  分離部
５  袋素材集合体
５０  袋素材
５２  折り込み部
５３  封じ部
５４  結合穴
５７  粘着テープ
５８  分離要素
５９  上端部縁
５００  袋本体となる部分部分
５０１  シート
５１０  手提げ部となる部分
５２０  分離部
５２０  端縁
５３０  封じ部
５４０  分離部
５５０  袋構成部
５６０  舌片となる部分
Ｂ  容器
Ｂ１  開口部
Ｂ２  外側面
Ｂ３  開口部縁
Ｃ  保持フレーム
Ｃ２  開口枠
Ｃ２０  外側面
Ｃ４  支脚
【図１】
2013086860.tif 000003
【図２】
2013086860.tif 000004
【図３】
2013086860.tif 000005
【図４】
2013086860.tif 000006
【図５】
2013086860.tif 000007
【図６】
2013086860.tif 000008
【図７】
2013086860.tif 000009
【図８】
2013086860.tif 000010
【図９】
2013086860.tif 000011
【図１０】
2013086860.tif 000012